(57)【要約】      （修正有）【課題】公園や学校の運動場或いはデパートやスーパーなどの大駐車場などの落ち葉や廃棄物を清掃する装置を提供する。【解決手段】電源が無くても一人の人間がその人力で押すだけ、或いは引くだけの人力で駆動源の車輪を動かし、その車輪の回転動力で掃除用の刷毛を動かしゴミや落ち葉を掃き集める。そのサイズを大型から中型或いは小型サイズで対応する事により、あらゆる広場の手軽い清掃が毎朝可能となる。いわゆる簡易清掃装置を該当箇所においておくだけで、誰でも運転可能で少し押すだけで関係者周辺の環境を綺麗に保つことができる。【選択図】図２
2012000405.tif 000002
【特許請求の範囲】
【請求項１】
竹材その他の植物材料又はプラスチックなど合成材料、或いは軽金属類などを素材とする回転式縦方向の掃除用刷毛を両翼に持ち両翼刷毛下方は地面に接地し、上下可動式でありその両翼共に進行方向内側回転する事により接地面上のゴミを掃き込む機能をもち、その両翼の回転源は前後進する車輪を動力源とする一輪車或いは二輪車若しくは三輪車又は四輪者であって、前方又は後方にゴミ集荷ボックスを備えた広場或いは道路などでの自走式若しくは牽引式或いは手押し式の掃除機。
【請求項２】
請求項１に記載の掃除機において、前後進する車輪と回転系端末の掃除用刷毛間においてフライホイールを間に絡ませる事により、円滑な回転と持続性を持たせた請求項１に記載の掃除機。
【請求項３】
小型エンジン若しくは電動モーターを動力源とした請求項１に記載の掃除機。
【請求項４】
走行方向によってゴミの集荷ボックスの位置が車輪の前或いは後部と自由に変える事が出来且つゴミが満杯になると、他の取り替え用ゴミ集荷ボックスと自在に取替え可能な請求項１ならびに請求項２及び請求項３に記載の掃除機。
【請求項５】
補助装置として雑草取り装置、或いは雑草刈り装置を備えた請求項１ならびに請求項２及び請求項３に記載の掃除機
【請求項６】
コインタイマー装置を装備した請求項１ならびに請求項２及び請求項３に記載に記載の掃除機。
【発明の詳細な説明】
【技術分野】
【０００１】四季折々、自然に恵まれ春から夏、夏から秋そして冬へと季節の移り変わりの自然豊かなわが国、それぞれの季節にそれぞれの風情があって北海道から九州沖縄までの約３０００ｋｍにも及ぶ長い日本列島、古来より文学上の表現はもとより桜前線を追うだけでも一ヶ月以上かかる日本列島。世の中は表があれば必ず裏がある世界、楽しませてもらった分、必ず汗も必要となる。いわゆる自然界に於ける盛衰問題の一つが静脈分野の落ち葉の始末である。落葉樹の葉は堆肥としては有効だが、毎年繰り返す広場や公園などでの大量の落ち葉は大変な厄介者である。落ち葉の最盛期は毎日大量である。主要道路などは定期的に清掃車が回る為、緑のお陰もあり落葉樹に対する環境批判は少ない。一方、掃除に於ける最小単位の家庭内等においてはあらゆる掃除機が各メーカーにより開発されており、これ等は通常家庭の電源で作動する。これらの家庭用掃除機範囲以外の自家用車等では車内清掃用の小型クリーナー等があり電池や車輌の電源で作動する。又、一歩屋外となると一般的には箒若しくはそれに類する人力による掃除道具を使用する。しかし運動場や大駐車場等における落ち葉の場合、屋外では必要な電源も少ないし、目的ルする清掃範囲の規模が根本的に異なる。本発明はこれら広域屋外における落ち葉やゴミなどを対象にした電源不要の掃除機を提供するものである。
【背景技術】
【０００２】全国各地に存在する公園環境は周辺住民にとっては四季折々の確かな季節の移り変わりの感触を楽しませ、和ませてくれるが、落ち葉や新芽の生え変わりの季節になると、周辺の住民は大変である。毎朝近くの公園から、風で運ばれてきた落ち葉が玄関先を塞ぐなどその被害たるや、訴える先も無く、みんな泣き寝入りである。自然豊かで綺麗な公園も落ち葉の季節には周辺住民にとって悩みの一つである。又、大都会においても高級マンションになるほど周辺環境には必ず自然を取り入れている。都会と言えども、当然樹木は毎年新芽が生え、落ち葉が発生する。これ等は通常、管理人の管理業務となり当然費用が発生し管理費に加算されている。【０００３】しかしこれら最先端の住宅であっても、通常周辺の落ち葉は管理人若しくはマンションの所有者が庭箒、若しくは家庭用より少し大型の業務用掃除機で吸い取る。これ等掃除機の原理はエアーによる吸い込み型が基本である。本発明は電源が無くても一人の人間がその人力で押すだけ、或いは引くだけの人力で車輪を動かし、その車輪の回転動力で掃除用の刷毛を動かし、ゴミや落ち葉を回収するもので、そのサイズを大型から中型或いは小型サイズで対応する事により、あらゆる広場の手軽い清掃が毎日可能となる環境を提供するものである。過っての日本人は世界に誇る気付きの社会があったが、戦後の教育の欠陥やモラルの低下に加え最近の高齢化社会は公共の場所への関心度も薄く街の清潔度もそのモラルも次第に落ちてきた。そこで本発明は清掃装置を其処に配置しておくだけで誰でも運転可能で、少し押すだけで関係者の周辺環境を綺麗に保つ清掃装置を提供するものである。【０００４】特許分野でも、たとえば特開平９−２０３０２０号掃除機の吸込装置や、特開平９−２０３０２１号掃除機の吸込装置、等は屋外掃除の際、道路隅のごみ吸取法であり特開２０００−２４５６７５号摩擦力を大きくした回転式清掃ヘッドを持つ床掃除機並びに道路清掃車、などは掃除機の穂先に工夫を持たせたものであり本発明とは基本的に思想を異にするものである。【０００５】
【特許文献１】特開平９−２０３０２０号、掃除機の吸込装置  特開平９−２０３０２１号、掃除機の吸込装置  特開２０００−２４５６７５号、摩擦力を大きくした箒及び摩擦力を大くした回転式清掃ヘッドを持つ床掃除機並びに道路清掃車
【発明の開示】
【発明が解決しようとする課題】
【０００６】公園や学校の運動場、或いはデパートやスーパーなどの大駐車場、これ等は利用上、公共或いは半公共的な性格が強く、その管理は当然その土地の持ち主に管理責任があり必然的にその利用度の多い施設ほど管理が行き届く。しかしこれ等の施設も夜間や休日となるとそれらの管理はガードマン会社などに委託される。しかしこれ等も警備や保安上の問題ではその管理は行き届くが、清掃面では別途の問題となりビルメンテナンス会社などに委託されるが、これとて建築物の清掃や保安管理上の問題であり、当該敷地内での落ち葉や廃棄物或いは当該敷地内で発生した落ち葉や廃棄物が、周辺に移動し広場周辺の民家に迷惑を及ぼしている事には気が付かない。特に落ち葉には地主のネームが入っている訳も無く苦情の言いようがない【０００７】問題はいわゆる落ち葉の始末である。毎年広場や公園などで発生する大量の落ち葉は大変な厄介者である。落ち葉の最盛期は毎日毎晩である。国道などは管理責任者である国の清掃車が回る為元々落葉樹による環境的被害は少ない。本発明は清掃の行き届く国道や県道或いは最小単位である一般家庭以外の屋外、いわゆる電源も少ない屋外の広域敷地などを対象とした場所の清掃を目的に電源不要の簡易型掃除機或いは清掃装置を提供しようとするものである。【０００８】都会であろうと田舎であろうと、新鮮な空気や豊かな自然を求める為、植樹をする。当然植樹をした処には落ち葉が発生する。しかしこれ等は通常その土地の管理人若しくは所有者が庭箒若しくは家庭用より少し大型の掃除機などで吸い取る。これら掃除機の原理はエアーによる吸い込み型が基本である。当然電源を必要とするが広い敷地では電源に不自由する。そこで本発明の原理は電源が無くても一人の人間がその人力で押すだけ、若しくは引くだけの人力で車輪を動かしその車輪の回転動力で掃除用の刷毛を回転させゴミや落ち葉を集荷するもので、そのサイズを大型から中型或いは小型サイズで対応する事によりあらゆる広場の手軽い清掃が毎朝可能となる環境を提供するものである。本発明の装置を其処において配置するだけで、誰でも運転可能で少し押すだけで関係者の周辺環境を綺麗の保つ清掃装置を提供するものである。
【課題を解決するための手段】
【０００９】  本発明は、かかる問題点に鑑みてなされたもので、その目的はいわゆる落ち葉の始末である。広場や公園などでは毎年大量の落ち葉は大変な厄介者である。落ち葉の最盛期は毎日毎晩であり、相手や地主の都合とは関係なくところ構わずである。本発明は清掃の行き届く国道や県道或いは一般家庭外の、屋外いわゆる電源も少ない学校の運動場やスーパーなどの駐車場などこれら屋外の広域敷地などを対象とした場所における清掃を対象に、電源不要の簡易型掃除機或いは清掃装置を提供するものである。
【発明の効果】
【００１０】某スーパーの駐車場では毎朝店長は誰よりも早く出勤して目立つ荒ゴミを手で拾い集め、店舗開店前には社員数人が各自箒を持ち広範囲に掃除を行うことが毎朝の日課であった。しかし本発明の原理装置を持ち込むと大変喜ばれ、早急に製品化して欲しいとの強い要望があった。本発明の製品が出来るとスーパーの駐車場はもとより学校などの運動場が各クラスの当番制などにより常に清潔に保つ事が可能となることが分った。【００１１】成長途中の子供たちの周辺を、子供達自らが本発明の掃除機の運転を楽しみながら清潔が保たれる事は子供の情操教育にも役立ち、悪の芽の入り込む隙間環境をなくす為にも役立つことはもとより、箒一本を持ちながら掃く作業に比較し、圧倒的に効率が良いことが分った。又某コンビにでも日中のお客様の途切れた時間に、店舗屋外片隅においていた本発明の掃除機を使い駐車場を一周するだけで店舗周辺が綺麗に保てる、使い勝手の良い簡易性が好まれるようであり産業上でも大いに利用価値並びに需要があることが判明した。
【発明を実施するための最良の形態】
【００１２】本発明は、かかる問題点に鑑みてなされたもので、下記構成によって解決することができる。その目的たるや先ずは落ち葉の始末である。広場や公園などでは毎年大量の落ち葉は大変な厄介者である。本発明は電源が無くても一人の人間がその人力で押すだけ、或いは引くだけの人力で車輪を動かしその車輪の回転動力で掃除用の刷毛を動かしゴミや落ち葉を集荷する。
【実施例】
【００１３】実施例によって本発明を説明する。図１は、本発明の仝体構造図であり例えば図で説明すると図３のように作業員がハンドル３を持ち押すだけでタイヤ１が回転し、タイヤに固定された一次側傘歯車４の回転力が二次側傘歯車５の回転を促し二次側傘歯車５に固定された刷毛６いわゆる掃除ブラシが両翼ともタイヤ側内側に回転し前方のゴミを抱き込むように掃き込みゴミ収容ボックス７−１に集める。図３で示すように本装置は自転車などで引き回しながら掃除する事も可能であり、それぞれ土地の広さにあわせて機種を選別すれば良い。
【産業上の利用可能性】
【００１４】上述したように本発明の掃除機を押しながら運動広場を回るだけ、或いは吹き散った落ち葉に対し当該掃除機を軽く手押しするだけで広場が、子供でも女性でも簡単に掃除をする事が可能となり、スーパーやコンビニ或いは特定管理者が身近に居ない運動場や公園などでもその広場の利用者が本発明の掃除機で一周するだけで広場が綺麗になり集荷したゴミは、取り外しできるゴミ集荷ボックスから移し変えるか、或いはゴミ集荷ボックスに直接、役所指定のゴミ袋を取り付ければ良く、公共的或いは半公共的広場或いはスーパーやコンビニなどあらゆる産業界の広い範囲に市場があることが判明した。
【図面の簡単な説明】
【００１５】
【図１】図１は本発明の回転軸と車輪の関係全体概要図である。
【図２】図２は本発明の掃除機の全体概要正面図である。
【図３】図３は本発明掃除機の使用状態の全体概要図である。
【図４】図４は本発明掃除機ゴミ収容ボックス正面図である。
【図５】図５は本発明掃除機ゴミ収容ボックス上面図である。
【図６】図６は本発明掃除機ゴミ収容ボックス側面図である。
【図７】図７は本発明掃除機の推す場合並びに自転車などで引く場合の全体概要図である。
【符号の説明】
【００１６】１      車輪
２      回転軸
３      ハンドル
４      一次側傘歯車バス
５      二次側傘歯車
６      回転式ゴミ収集ササラゴミ収容ｂｏｘ（車輪後部陰に）
７−１  回転式ゴミ収集ササラ：押す場合
７−２  回転式ゴミ収集ササラ：引く場合
８、    自転車
【図１】
2012000405.tif 000003
【図２】
2012000405.tif 000004
【図３】
2012000405.tif 000005
【図４】
2012000405.tif 000006
【図５】
2012000405.tif 000007
【図６】
2012000405.tif 000008
【図７】
2012000405.tif 000009